(57)【要約】【課題】後傾姿勢で走行する際の運動機能を向上することができる衣服を提供する。【解決手段】本発明は、伸縮性を有する伸縮性素材で構成され、少なくとも腰部から膝下までを覆う衣服１であって、大殿筋からハムストリングスに至る領域に配置されている大腿背面緊締部１０を有し、大腿背面緊締部１０は、身長方向の伸長率が８０〜１２１０％であり、身幅方向の伸長率が身長方向の伸長率より大きい伸縮性素材Ａで構成されており、膝蓋骨下部の膝蓋腱を覆い、膝蓋骨の内側面及び外側面を通って大腿部に向かって略Ｖ字状に伸びている膝周囲緊締部２０を有し、膝周囲緊締部２０は大腿部の内側及び外側のそれぞれにおいて前記大腿背面緊締部１０と繋がっており、膝周囲緊締部２０は、身長方向の伸長率が伸縮性素材Ａの身長方向の伸長率の０．６〜０．８倍であり、身長方向の伸長率が身幅方向の伸長率より大きい伸縮性素材Ｂで構成されている衣服に関する。【選択図】図１
2018111909.tif 000002
【特許請求の範囲】
【請求項１】
伸縮性を有する伸縮性素材で構成され、少なくとも腰部から膝下までを覆う衣服であって、
大殿筋からハムストリングスに至る領域に配置されている大腿背面緊締部を有し、前記大腿背面緊締部は、身長方向の伸長率が８０〜１２０％であり、且つ身幅方向の伸長率が身長方向の伸長率より大きい伸縮性素材Ａで構成されており、
膝蓋骨下部の膝蓋腱を覆い、膝蓋骨の内側面及び外側面を通って大腿部に向かって略Ｖ字状に伸びている膝周囲緊締部を有し、前記膝周囲緊締部は大腿部の内側及び外側のそれぞれにおいて前記大腿背面緊締部と繋がっており、前記膝周囲緊締部は、身長方向の伸長率が伸縮性素材Ａの身長方向の伸長率の０．６〜０．８倍であり、且つ身長方向の伸長率が身幅方向の伸長率より大きい伸縮性素材Ｂで構成されていることを特徴とする衣服。
【請求項２】
前記伸縮性素材Ａにおいて、身幅方向の伸長率は身長方向の伸長率の１．４〜１．８倍である請求項１に記載の衣服。
【請求項３】
前記伸縮性素材Ｂは、身長方向の伸長率が６０〜８０％である請求項１又は２に記載の衣服。
【請求項４】
前記伸縮性素材Ｂにおいて、身長方向の伸長率は身幅方向の伸長率の２〜３倍である請求項１〜３のいずれか１項に記載の衣服。
【請求項５】
前記伸縮性素材Ｂは、トリコット編地とメッシュ編地の二重生地であり、メッシュ編地が着用者側になるように配置されている請求項１〜４のいずれか１項に記載の衣服。
【請求項６】
前記膝周囲緊締部は、膝蓋骨上部において、大腿部の正中線に向かって膨らんでいる請求項１〜５のいずれか１項に記載の衣服。
【請求項７】
前記膝周囲緊締部は、下腿において裾部まで延びている請求項１〜６のいずれか１項に記載の衣服。
【請求項８】
腰部には腰緊締部が配置されており、後身頃において、前記腰緊締部は前記大腿背面緊締部と繋がっている請求項１〜７のいずれか１項に記載の衣服。
【請求項９】
前記腰緊締部は前記伸縮性素材Ｂで構成されている請求項８に記載の衣服。
【発明の詳細な説明】
【技術分野】
【０００１】
本発明は、少なくとも腰部から膝下までを覆う衣服に関する。
【背景技術】
【０００２】
従来から、衣服について、緊締力が強い部分を形成し、脚部の運動をサポートする提案があった。例えば、特許文献１には、大腿部の前側部分の外側上方から内側下方にかけて斜めに形成される大腿部前側緊締部と、大腿部の後側部分の外側上方から内側下方にかけて斜めに形成される大腿部後側緊締部と、下腿部の前側部分の内側上方から外側下方にかけて斜めに形成される下腿部前側緊締部を有する股付き衣類が記載されている。また、引用文献２では、ハムストリングス及び内転筋群を覆う領域に互いに分離している二つ以上の強緊締部を設けた衣服が記載されている。
【先行技術文献】
【特許文献】
【０００３】
【特許文献１】国際公開第２００４／０９１３２８号公報
【特許文献２】特開２０１６−１８８４４９号公報
【発明の概要】
【発明が解決しようとする課題】
【０００４】
一方、ランニング時には、身体の重心の真下に足を接地させることで、地面から受ける反力が小さく、ランニング効率が良くなることがあるが、後傾姿勢の場合、足の接地位置と身体の重心位置のずれか大きいため、地面からの反力が大きく、下肢の負担が増加し、運動機能が低下しやすい。
【０００５】
特許文献１及び２では、緊締部で筋肉をサポートすることで、運動機能を向上させている。しかし、引用文献１及び２では、ランニング時の後傾姿勢による運動機能の低下を改善することは考慮されていない。
【０００６】
本発明は、上記従来の問題を解決するため、後傾姿勢で走行する際の運動機能を向上することができる衣服を提供する。
【課題を解決するための手段】
【０００７】
本発明は、伸縮性を有する伸縮性素材で構成され、少なくとも腰部から膝下までを覆う衣服であって、大殿筋からハムストリングスに至る領域に配置されている大腿背面緊締部を有し、前記大腿背面緊締部は、身長方向の伸長率が８０〜１２０％であり、且つ身幅方向の伸長率が身長方向の伸長率より大きい伸縮性素材Ａで構成されており、膝蓋骨下部の膝蓋腱を覆い、膝蓋骨の内側面及び外側面を通って大腿部に向かって略Ｖ字状に伸びている膝周囲緊締部を有し、前記膝周囲緊締部は大腿部の内側及び外側のそれぞれにおいて前記大腿背面緊締部と繋がっており、前記膝周囲緊締部は、身長方向の伸長率が伸縮性素材Ａの身長方向の伸長率の０．６〜０．８倍であり、且つ身長方向の伸長率が身幅方向の伸長率より大きい伸縮性素材Ｂで構成されていることを特徴とする衣服に関する。
【０００８】
前記伸縮性素材Ａにおいて、身幅方向の伸長率は身長方向の伸長率の１．４〜１．８倍であることが好ましい。前記伸縮性素材Ｂは、身長方向の伸長率が６０〜８０％であることが好ましい。前記伸縮性素材Ｂにおいて、身長方向の伸長率は身幅方向の伸長率の２〜３倍であることが好ましい。前記伸縮性素材Ｂは、トリコット編地とメッシュ編地の二重生地であり、メッシュ編地が着用者側になるように配置されていることが好ましい。
【０００９】
前記膝周囲緊締部は、膝蓋骨上部において、大腿部の正中線に向かって膨らんでいることが好ましい。前記膝周囲緊締部は、下腿において裾部まで延びていることが好ましい。
【００１０】
前記衣服において、腰部には腰緊締部が配置されており、後身頃において、前記腰緊締部は前記大腿背面緊締部と繋がっていることが好ましい。前記腰緊締部は前記伸縮性素材Ｂで構成されていることが好ましい。
【発明の効果】
【００１１】
本発明は、後傾姿勢で走行する際の運動機能を向上することができる衣服を提供することができる。
【図面の簡単な説明】
【００１２】
【図１】図１Ａは本発明の一実施形態の衣服の正面図であり、図１Ｂは同背面図であり、図１Ｃは同外側面図であり、図１Ｄは同内側面図である。
【図２】図２Ａは後傾姿勢でランニング時の身体の重心位置と足の接地位置の関係を説明する模式図であり、図２Ｂは本発明の一例の衣服を着用して後傾姿勢でランニングした際の身体の重心位置と足の接地位置の関係を説明する模式図である。
【図３】図３は、右足正面からみた膝部における膝周囲緊締部の配置を説明する模式図である。
【発明を実施するための形態】
【００１３】
本発明者らは、大殿筋からハムストリングスに至る領域に、身長方向の伸長率が８０〜１２０％であり、且つ身幅方向の伸長率が身長方向の伸長率より大きい伸縮性素材Ａで構成された大腿背面緊締部を配置するとともに、大腿部の内側及び外側のそれぞれにおいて前記大腿背面緊締部と繋がっており、身長方向の伸長率が伸縮性素材Ａの身長方向の伸長率の０．６〜０．８倍であり、且つ身長方向の伸長率が身幅方向の伸長率より大きい伸縮性素材Ｂで構成された膝周囲緊締部を膝蓋骨下部の膝蓋腱を覆い、膝蓋骨の内側面及び外側面を通って大腿部に向かって略Ｖ字状に伸びるように配置することで、後傾姿勢で走行する傾向がある走者の運動機能が向上することを見出し、本発明に至った。これは、図２Ａに示しているように、後傾姿勢で走行すると、足の接地位置と身体の重心位置１００とのずれが大きいため、地面からの反力が大きく、下肢の負担が増加し、運動機能が低下するところ、上述したように大腿背面緊締部及び膝周囲緊締部を設けることで、図２Ｂに示しているように、足の接地位置が身体の重心１００の真下に近寄り、地面からの反力が弱まることで、後傾姿勢で走行する傾向がある走者の運動機能が向上すると推測される。
【００１４】
具体的には、身長方向の伸長率が８０〜１２０％であり、且つ身幅方向の伸長率が身長方向の伸長率より大きい伸縮性素材Ａで構成された大腿背面緊締部を大殿筋からハムストリングスに至る領域に配置することで、走行時に、大腿部の動きを制限することなく、大腿部が前に出すぎないようにすることができる。そして、身長方向の伸長率が伸縮性素材Ａの身長方向の伸長率の０．６〜０．８倍であり、且つ身長方向の伸長率が身幅方向の伸長率より大きい伸縮性素材Ｂで構成された膝周囲緊締部を、膝蓋骨下部の膝蓋腱を覆い、膝蓋骨の内側面及び外側面を通って大腿部に向かって略Ｖ字状に伸びるように配置することにより、下腿部の蹴り出しを補助することで、大腿部の動きに同期し、下肢が身体の重心近くで接地することができると推測される。
【００１５】
本明細書において、「身長方向」とは着用者の身体の身長方向を意味し、「身幅方向」とは着用者の身体の身幅方向を意味する。また、「内側」とは下肢の正中線より内側を意味し、「外側」とは下肢の正中線より外側を意味する。
【００１６】
本発明において、「伸縮性を有する」とは、衣服を形成する素材の身幅方向における伸長率及び／又は身長方向における伸長率が０％を超えることを意味する。本発明において、素材の伸長率は、ＪＩＳ  Ｌ  １０９６  ８．１４．１  Ａ法（荷重１７．６Ｎ、引張速度２００ｍｍ／ｍｉｎ）に基づいて測定するものである。
【００１７】
前記衣服は、例えば腰部から膝下までを覆うように形成されていてもよく、腰部から足首までを覆うように形成されていてもよく、腰部から足甲までを覆うように形成されていてもよい。
【００１８】
前記衣服において、大殿筋からハムストリングスに至る領域には、伸縮性素材Ａで構成された大腿背面緊締部が配置されている。前記伸縮性素材Ａは、身長方向の伸長率が８０〜１２０％であり、好ましくは９０〜１１０％であり、より好ましくは９５〜１０５％である。また、伸縮性素材Ａは、身幅方向の伸長率が身長方向の伸長率より大きければよいが、身幅方向の伸長率は身長方向の伸長率の１．４〜１．８倍であることが好ましく、より好ましくは１．５〜１．７倍である。例えば、伸縮性素材Ａは、身幅方向の伸長率が１５０〜１８０％であることが好ましく、より好ましくは１６０〜１７０％である。伸縮性素材Ａの身長方向及び身幅方向の伸長率が上記範囲内であることにより、大腿部が身体の重心位置に近い位置で接地しやすく、走行時の大腿部の角速度が高くなる。
【００１９】
前記衣服は、膝蓋骨下部の膝蓋腱を覆い、膝蓋骨の内側面及び外側面を通って大腿部に向かって略Ｖ字状に伸びている膝周囲緊締部を有する。前記膝周囲緊締部は、図３に示すように、膝蓋腱遠位付着部から始まり膝蓋骨を避けるように左右略Ｖ字状に延びている。このように、膝周りにおいて、大腿骨、脛骨及び膝蓋骨からなる膝関節を回転中心とする下腿部を伸ばす動きをする膝蓋腱を押さえつつ、膝蓋骨の内側面及び外側面を通るように略Ｖ字状に膝周囲緊締部を配置することにより、下腿部の動きを安定させることができる。本明細書において、略Ｖ字状とは、Ｖ字に加えて変形したＶ字を含む。変形したＶ字は、丸みを帯びたＶ字や左右の片の長さが異なるＶ字等を含む。前記略Ｖ字状の角度αは、特に限定されないが、下腿部の動きを安定させる効果を高める観点から、４０〜９０度であることが好ましい。
【００２０】
前記膝周囲緊締部を、身長方向の伸長率が伸縮性素材Ａの身長方向の伸長率の０．６〜０．８倍であり、且つ身長方向の伸長率が身幅方向の伸長率より大きい伸縮性素材Ｂで構成し、前記膝周囲緊締部を大腿部の内側及び外側のそれぞれにおいて前記大腿背面緊締部と繋げる。このような大腿背面緊締部及び膝周囲緊締部を有することで、後傾姿勢で走行しても、下肢の接地位置が身体の重心位置に近接し、重心移動が早くなり、パフォーマンスが高まる。
【００２１】
前記伸縮性素材Ｂの身長方向の伸長率は、前記伸縮性素材Ａの身長方向の伸長率の０．６〜０．８倍であることが好ましく、より好ましくは０.６〜０．７倍である。例えば、前記伸縮性素材Ｂの身長方向の伸長率は、６０〜８０％であることが好ましく、６５〜７５％であることがより好ましい。前記伸縮性素材Ｂにおいて、身長方向の伸長率は、身幅方向の伸長率より大きければよいが、好ましくは２〜３倍であり、より好ましくは２．４〜２．６倍である。例えば、前記伸縮性素材Ｂの身幅方向の伸長率は、１５〜３０％であることが好ましく、２０〜２５％であることがより好ましい。
【００２２】
前記膝周囲緊締部は、膝蓋骨上部において、大腿部の正中線に向かって膨らんでいることが好ましい。前記膝周囲緊締部は、略Ｖ字状であり、膝蓋骨を覆わず、大腿部の正中線に向かって膨らんでいることにより、膝周囲緊締部が下方にずれるのを抑止するとともに、膝関節の屈伸による大腿部の周囲長の変化に追従しやすくなる。また、前記膝周囲緊締部は、下腿において裾部まで延びていることが好ましい。これにより、下腿を前方に蹴り出しやすくなる。また、前記膝周囲緊締部は、大腿部の外側において、部分的に分離していてもよい。
【００２３】
前記衣服は、さらに、前記伸縮性生地Ｂで構成され、大転子を覆うように配置されている腰緊締部を有してもよい。前記腰緊締部によって骨盤を安定させることができる。後身頃において、前記腰緊締部は前記大腿背面緊締部と繋がっていることが好ましい。これにより、前記大腿背面緊締部による大腿部の接地位置を身体の重心位置に近づける効果を高めることができる。
【００２４】
前記衣服において、前記大腿背面緊締部、前記膝周囲緊締部及び前記腰緊締部以外の他の部分は、身長方向の伸長率が、伸縮性生地Ａの身長方向の伸長率より高い伸縮性素材で構成されている。前記他の部分を構成する伸縮性素材は、着用性を良好にする観点から、身長方向の伸長率が、伸縮性生地Ａの身長方向の伸長率の１．４〜１．８倍であることが好ましく、より好ましくは１．５〜１．７倍である。例えば、前記他の部分を構成する伸縮性素材の身長方向の伸長率は、１４０〜１８０％であることが好ましく、より好ましくは１５０〜１７０％である。前記他の部分を構成する伸縮性素材は、身幅方向の伸長率が身長方向の身長率より小さく、例えば、８０〜１２０％であることが好ましく、より好ましくは９０〜１１０％である。
【００２５】
本発明において、伸縮性素材としては、伸縮性を有するものであればよく、特に限定されず、例えば織物、編物などの通常の衣服用生地を用いることができる。織物としては、例えば平織、斜文織、朱子織、変化平織、変化斜文織、変化朱子織、変わり織、紋織、片重ね織、二重組織、多重組織、経パイル織、緯パイル織、絡み織などが挙げられる。編物としては、例えば丸編、緯編、経編（トリコット編、ラッセル編を含む）、パイル編、平編、天竺編、リブ編、スムース編（両面編）、ゴム編、パール編、デンビー組織、コード組織、アトラス組織、鎖組織、挿入組織などが挙げられる。前記伸縮性素材は、特に限定されないが、例えば、目付けが１２０〜３８０ｇ／ｍ2の範囲が好ましく、より好ましくは１６０〜３４０ｇ／ｍ2の範囲、さらに好ましくは２４０〜２８０ｇ／ｍ2の範囲である。上記の範囲であれば、運動機能を損なわず、耐久性も良く、軽くて動きやすい利点がある。また、上記伸縮性素材は、エラストマー樹脂又はゴムにより含浸或いはプレス処理されたものでもよい。エラストマー樹脂としては、ウレタン系エラストマー、軟質塩化ビニル系エラストマー、スチレン系エラストマー、オレフィン系エラストマー、エステル系エラストマー、アミド系エラストマー、塩素化ポリエチレン系エラストマー、Ｓｙｎ−１，２−ポリブタジエン系エラストマー、Ｔｒａｎｓ−１，４−ポリイソプレン系エラストマー、フッ素系エラストマー等が挙げられる。ゴムとしては、シリコーンゴム、フッ素ゴム、ウレタンゴム、合成ゴム、天然ゴム等が挙げられる。また、上記生地は一枚であってもよく、異なる伸長率の二枚の生地を重ねたものであってもよい。
【００２６】
前記伸縮性素材Ｂは、トリコット編地とメッシュ編地の二重生地であることが好ましい。メッシュ編地としては、特に限定されず、例えば、トリコットメッシュ編地等が挙げられる。メッシュ編地が着用者側になるように配置することにより、着用感を良好にすることができる。
【００２７】
前記伸縮性素材を形成する繊維としては、特に限定されず、例えばポリエチレンテレフタレート、ポリトリメチレンテレフタレート、ポリブチレンテレフタレートなどのポリエステル繊維、ポリウレタン繊維、ポリアミド繊維、アセテート繊維、コットン繊維、レーヨン繊維、エチレンビニルアルコール繊維、ナイロン繊維などを用いることができる。
【００２８】
以下、図面に基づいて、本発明の一実施形態の衣服を説明する。
【００２９】
図１Ａは本発明の一実施形態の衣服（タイツ）の正面図であり、図１Ｂは同背面図であり、図１Ｃは同右外側面図であり、図１Ｄは同内側面図である。図１Ａ〜図１Ｄに示しているように、該実施形態の衣服１は、大腿背面緊締部１０、膝周囲緊締部２０及び腰緊締部３０を有する。
【００３０】
該実施形態において、大腿背面緊締部１０は、大殿筋からハムストリングスに至る領域に配置されている。大腿背面緊締部１０は、身長方向の伸長率が６０〜８０％であり、且つ身幅方向の伸長率が身長方向の伸長率より大きい伸縮性素材Ａで構成されている。このような大腿背面緊締部１０により、走行時に、大腿部の動きを制限することなく、大腿部が前に出すぎないようにすることができる。
【００３１】
該実施形態において、膝周囲緊締部２０は、膝蓋骨下部の膝蓋腱を覆い、膝蓋骨の内側面及び外側面を通って大腿部に向かって略Ｖ字状に伸びている。膝周囲緊締部２０は大腿部の内側及び外側のそれぞれにおいて大腿背面緊締部１０と繋がっている。膝周囲緊締部２０は、身長方向の伸長率が伸縮性素材Ａの身長方向の伸長率の０．６〜０．８倍であり、且つ身長方向の伸長率が身幅方向の伸長率より大きい伸縮性素材Ｂで構成されている。このような大腿背面緊締部１０と繋がっている膝周囲緊締部２０により、下腿部の蹴り出しを補助することで、大腿部の動きに同期し、下肢が身体の重心近くで接地することができると推測される。
【００３２】
該実施形態において、膝周囲緊締部２０は、膝蓋骨上部において、大腿部の正中線に向かって膨らんでいる。膝周囲緊締部２０は、略Ｖ字状であり、膝蓋骨を覆わず、大腿部の正中線に向かって膨らんでいることにより、膝周囲緊締部が下方にずれるのを抑止するとともに、膝関節の屈伸による大腿部の周囲長の変化に追従しやすくなる。また、該実施形態において、膝周囲緊締部２０は、下腿において裾部まで延びている。これにより、下腿を前方に蹴り出しやすくなる。また、膝周囲緊締部２０は、大腿部の外側において、部分的に分離している。
【００３３】
該実施形態において、腰緊締部３０は、大転子を覆うように腰回りに配置されている。腰緊締部３０は伸縮性素材Ｂで構成されていることが好ましい。腰緊締部３０によって骨盤を安定させることができる。該実施形態において、腰緊締部３０は、後身頃において、大腿背面緊締部１０と繋がっていることが好ましい。これにより、大腿背面緊締部１０による接地時の大腿部の位置を身体の重心位置に近づける効果を高めることができる。
【実施例】
【００３４】
以下実施例を用いてさらに具体的に説明する。なお、本発明は下記の実施例に限定されるものではない。
【００３５】
実施例及び比較例で下記の伸縮性素材を用いた。
伸縮性素材１：トリコット編地（ナイロン７６％、ポリウレタン２４％；ナイロン糸４０デニール/フィラメント数１３本；ポリウレタン糸５５デニール）、身長方向の伸長率１００％、身幅方向の伸長率１７０％、目付１９５ｇ／ｍ2
伸縮性素材２：トリコット編地（ナイロン８７％、ポリウレタン１３％；ナイロン糸７０デニール/フィラメント数２４本、ポリウレタン糸２１０デニール）とトリコットメッシュ編地（ナイロン８７％、ポリウレタン１３％；ナイロン糸７０デニール/フィラメント数２４本、ポリウレタン２１０デニール）を縫製で貼り合せた二重生地、身長方向の伸長率６７％、身幅方向の伸長率２５％、目付４０５ｇ／ｍ2
伸縮性素材３：トリコット編地（ナイロン７６％、ポリウレタン２４％；ナイロン糸４０デニール/フィラメント数１３本；ポリウレタン糸５５デニール）、身長方向の伸長率１７０％、身幅方向の伸長率１００％、目付１９５ｇ／ｍ2
伸縮性素材４：トリコット編地（ポリエステル７１％、ポリウレタン２９％；ポリエステル糸５０デニール/フィラメント数３６本、ポリウレタン糸４０デニール）、身長方向の伸長率１３０％、身幅方向の伸長率７５％、目付２６０ｇ／ｍ2
伸縮性素材５：トリコット編地（ポリエステル７１％、ポリウレタン２９％；ポリエステル糸５０デニール/フィラメント数３６本、ポリウレタン糸４０デニール）とトリコットメッシュ編地（ナイロン８７％、ポリウレタン１３％；ナイロン糸７０デニール/フィラメント数２４本、ポリウレタン糸２１０デニール）を縫製で貼り合せた二重生地、身長方向の伸長率４６％、身幅方向の伸長率３２％、目付４６０ｇ／ｍ2
伸縮性素材６：トリコット編地（ポリエステル７１％、ポリウレタン２９％；ポリエステル糸５０デニール/フィラメント数３６本、ポリウレタン糸４０デニール）、身長方向の伸長率１７０％、身幅方向の伸長率１００％、目付１９５ｇ／ｍ2
【００３６】
（実施例１）
伸縮性素材１、伸縮性素材２及び伸縮性素材３を用いて図１に示すタイツ１を作製した、具体的には、伸縮性素材１を伸縮性素材Ａとして用いて大腿背面緊締部１０を構成し、伸縮性素材２を伸縮性素材Ｂとして用いて膝周囲緊締部２０及び腰緊締部３０を構成し、その他の部分を伸縮性素材３で構成した。図１において、点線及び太い実線は縫製線である。
【００３７】
（比較例１）
伸縮性素材１に替えて伸縮性素材４を用い、伸縮性素材２に替えて伸縮性素材５を用い、伸縮性素材３に替えて伸縮性素材６を用いた以外は、実施例１と同様にしてタイツを作製した。
【００３８】
実施例１及び比較例１のタイツを２０代の成人男性６名に着用させてランニングマシン（日本光電株式会社製「トレッドミル」）を用いて１０ｋｍ／ｈで走行した。計測には、ミズノランニングフォーム診断システム「Ｆ．Ｏ．Ｒ．Ｍ」（特許５３１４２２４に記載のランニングフォーム診断システム）を使用し、ランニング動作中の１０秒間を計測した。大転子、外踝のマーカーから、踵接地時の矢状面における大転子からの垂線に直交する外踝との距離を算出することにより、踵接地位置の指標とした。
【００３９】
【表１】
2018111909.tif 000003
【００４０】
表１のデータから、実施例１の方が重心の真下により近い位置に足が接地できていることが分かった。実施例のタイツを着用すると、重心の真下により近い位置に足が接地できていることから、地面からの反力が弱まり、後傾姿勢で走行する傾向がある走者の運動機能が向上すると推測される。
【符号の説明】
【００４１】
１  衣服
１０  大腿背面緊締部
２０  膝周囲緊締部
３０  腰緊締部
１００  身体の重心
【図１】
2018111909.tif 000004
【図２】
2018111909.tif 000005
【図３】
2018111909.tif 000006